(57)【要約】  【目的】  樹脂の連通した分子間の孔や、インキ収容部の割れの発生した部分からの、インキの蒸発による減量や、圧力の放出、インキ洩れによるインキのカスレや吐出不良を抑制するインキ収容部材を提供する。  【構成】  少なくとも内壁部が透明性を有するポリブチレンテレフタレートにて形成されたインキ収容部材とする。【選択図】        図１
2005186348.tif 000002
【特許請求の範囲】
【請求項１】
少なくとも内壁部が透明性を有するポリブチレンテレフタレートにて形成されたインキ収容部材。
【発明の詳細な説明】
【技術分野】
【０００１】
本発明は、ボールペン、サインペン、マーカー、万年筆、小管ペンなどの筆記具や、修正具のような塗布具の、内部にインキを直接又は、インキを含浸させたインキ吸収体を収容してなるインキ収容部材に関する。
【背景技術】
【０００２】
従来、ボールペン、サインペン、マーカー、万年筆、小管ペンなどの筆記具や、修正具のような塗布具に用いられ、その内部にインキを直接収容するか、又は、インキを含浸させたインキ吸収体を収容するインキ収容部材としては、軸筒、ペン先ホルダー、インキ収容筒、尾栓等の部材が知られている。
【０００３】
例えば、インキの状態を外部から視認可能にするために、透明性のあるポリプロピレンによって、インキを収容する軸筒を形成させたもの（特許文献１参照）、透明性だけでなく、気密性が得られるとともにインキ減量を抑制させるようにポリエチレンテレフタレートによって、軸筒などの部材を形成させたもの（特許文献２参照）が知られている。
【特許文献１】特開２００１−３１０５９３公報
【特許文献２】特開平０７−１４９０９３号公報
【発明の開示】
【発明が解決しようとする課題】
【０００４】
特許文献１に開示されているような、透明性のあるポリプロピレンによって、インキを収容する軸筒を形成させたものでは、外部からインキの残量や色などの状態を視認することができるという利点がある。しかし、ポリプロピレン樹脂は、連通する分子間の孔が比較的大きく、酸素や窒素及び二酸化炭素、水素等の気体の分子を容易に通してしまう。このため、収容したインキが蒸発して減量し易く、また、内部に気体を圧縮して密閉収容し、この圧縮した気体によってインキの吐出支援をなす筆記具や塗布具などの場合では、長期放置を行うと、軸筒の内部から外部へ次第に圧力が放出され、圧力でインキ吐出の支援をなせなくなり、インキのカスレや吐出不良を引き起こしてしまうという問題点があった。
【０００５】
特許文献２に開示されているような、ポリエチレンテレフタレートによって、軸筒などの部材を形成させたものでは、ポリエチレンテレフタレートが、その分子構造中に二重結合部分を有しているために分子が変形しにくいものであり、柔軟性に欠け、応力に対して破断し易く割れが生じてしまうものであった。すなわち、容器の材料とした場合に、圧入又は嵌合部等の応力によって割れが生じ易く、割れの発生した部分からのインキ洩れや、内部に圧縮した気体を充填したものなどでは、気体が外部へ流出してカスレやインキの吐出不良を引き起こしてしまうという問題点があった。
【課題を解決するための手段】
【０００６】
本発明は、少なくとも内壁部が透明性を有するポリブチレンテレフタレートにて形成されたインキ収容部材を要旨とする。
【発明の効果】
【０００７】
インキ収容部材が、少なくとも内壁部が透明性を有するポリブチレンテレフタレートにて形成されていることから、連通する分子間の孔が小さく、酸素や窒素及び二酸化炭素、水素等の気体の分子の通過を抑制する。よって、透明性を有し、且つ、収容したインキの蒸発による減量が、極力抑制され、内部に気体を圧縮して密閉収容し、この圧縮した気体によってインキの吐出支援をなす筆記具や塗布具を長期放置しても、軸筒の内部から外部への圧力の放出が抑制され、インキのカスレや吐出不良が極力抑制される。また、分子の骨格が柔軟性に富み変形し易く、インキ収容部材は、圧入又は嵌合部等の応力によって割れを抑制し得る。
【発明を実施するための最良の形態】
【０００８】
本発明は、内部に自由状態でインキを直接収容又は、インキを含浸させたインキ吸収体を収容してなるインキ収容部材とする筆記具や、塗布具において、極めて効率的かつ確実に、インキの蒸発による減量や、特に、内部に気体を圧縮して密閉収容し、この圧縮した気体によってインキの吐出支援をなすものに関しては、圧力の放出を抑制し、筆記具や、塗布具の使用中における、カスレなどの吐出不良を抑制できるものである。
【実施例】
【０００９】
以下、図面に基づき一例について説明する。
図１に示したものは、内部にメチルシクロヘキサンを主溶剤とし、酸化チタン等の白色顔料を分散した、７００ｍＰａ・ｓ（Ｂ型粘度計Ｎｏ．３ローター、６０ｒｐｍ、２５℃）の高粘度に設定してある修正液用のインキ１を軸２に直接収容した修正塗布具の一例である。軸２は、透明性を有するポリブチレンテレフタレートの押出成形品であり、この軸２の内部には、インキ１が直接収容されている。
【００１０】
軸２の先端には、ポリブチレンテレフタレートの射出成形品である前軸３が接続されている。また、前軸３の先端開口部には、ボール４が回転自在に抱持されたボールホルダー５が接続されている。ボール４はコイルスプリング６にて前方付勢されており、ボールホルダー５の内縁に液密に当接してインキ１の吐出を制御する弁として機能している。また、ボールホルダー５は、前軸３の先端開口部に、強度が４２．５ｋｇ／ｃｍ２になるように圧入接続されている。これは、後述する、軸２内に充填されている圧縮気体７の圧力によって、ボールホルダー５が外れ、インキ１が外部に飛散してしまうことを防止するためである。接続方法は、圧入接続にのみ限られるものではなく、接着剤、熱、超音波、振動による溶着などが挙げられ、生産性、密閉性、耐久性を考慮して適宜行うことができる。
【００１１】
軸２内のインキ１の界面に接触して、インキ１の消費に伴うインキ１の界面の移動に追従して移動するフォロアー８が配置されている。フォロアー８は、有底筒体の形状を有し、硬度６５゜（デュロー硬度  タイプＡ）の、ポリエステル系の熱可塑性エラストマーの射出成形品であり、インキ１の白色と誤認しないために黄色に着色されている。もちろん、もっと明度や色調の異なる色、例えば黒色などとしてもよい。
【００１２】
軸２の後端開口部はポリブチレンテレフタレートの射出成形品である尾栓９で密閉され、尾栓９とフォロアー８の間の空間には、大気圧よりも高い圧力状態である１３０ｋＰａ〜２７０ｋＰａの圧縮気体７が充填されている。圧縮気体７による圧力は、フォロアー８を介してインキ１を後ろから押して吐出の支援をなしている。また、圧縮気体７によって、尾栓９が押し上げられ、外れてしまうことを防止するために、軸２の後端開口部へ、強度が４２．７ｋｇ／ｃｍ２になるように圧入によって接続されている。尾栓９の接続方法は、前述した前軸３及びボールホルダー５の場合と同じように、圧入接続にのみ限られず、生産性、密閉性、耐久性を考慮して適宜行うことができる。
【００１３】
本例に用いた軸２は、透明性を有するポリブチレンテレフタレートであるので、軸２の内部に直接収容されているインキ１の残量が目視可能である。また、ポリブチレンテレフタレートの連通する分子間の孔は小さく、約１００ｃｃ／ｍ２ｄａｙ／２５μｍ・２３℃／Ｏ２の低いガス透過性であるため、長期放置を行っても、圧縮気体７の透過を抑え、インキ吐出の支援をなす圧力を維持することができる。また、分子間の孔が小さいことによって、収容したインキ１の蒸発による減量を極力抑制することができる。また、ポリブチレンテレフタレートは、分子構造中に二重結合部分を有していないために分子が変形し易く、応力に対する柔軟性に富んだものとなる。このため、軸２へ前軸３及び尾栓９が圧縮気体７によって外れない比較的強い強度での圧入による応力であっても、接続部分の割れを生じることがなく、接合部分からのインキ１及び圧縮気体７の流出を抑制できる。
【００１４】
この他、本例のものの他、透明性を有するポリブチレンテレフタレートにより形成され、気体の透過による圧力の変化や、インキ１の減量、インキ収容部の接続部分の割れを抑制し得るインキ収容部であるならば、圧縮気体７を例えば軸２の後端からのポンピング操作で注入するようなものも挙げられる。また、吐出支援をなす圧縮気体７を必要とせず、水頭圧で吐出し、インキ１の界面に、インキ１の消費に伴って追従する高粘度のフォロアー流体を配置したものや、インキ収容部の内部に、圧力調整のための一時的インキ溜め部材を設けたもの、インキ吸蔵体にインキ１を含浸させたものなど、比較的低粘度の、例えば、水を主媒体とした水性染料インキ、顔料インキ、有機溶剤を主媒体とした油性インキインキを用いたボールペン、サインペン、マーカー、万年筆、小管ペンなどでも使用できる。
【図面の簡単な説明】
【００１５】
【図１】一例を示す縦断面図。
【符号の説明】
【００１６】
１  インキ
２  軸
３  前軸
４  ボール
５  ボールホルダー
６  コイルスプリング
７  圧縮気体
８  フォロアー
９  尾栓
【図１】
2005186348.tif 000003